(57)【特許請求の範囲】
【請求項１】
塗布具の両端に装着される大小一対の相互に連結可能な塗布具用キャップであって、
大小各々のキャップは、円筒状の外筒部に、当該外筒部の内径よりも小さい外径を有し一端が閉塞された内筒部を支持部で支持して一体化して形成され、各々のキャップは外筒部と内筒部との間の間隙を介してキャップの内部空間と外部とが連通し、キャップ同士を連結すると、前記間隙を介して、キャップの内部空間同士または一方のキャップの内部空間と外部とが連通して空気流路が形成される構成とされており、
キャップ同士の連結時に、大キャップに小キャップを被せて連結させた状態でキャップの外筒部端部または内筒部端部による前記間隙の閉塞を阻止する連結規制部と、小キャップに大キャップを被せて連結させた状態でキャップの外筒部端部または内筒部端部による前記間隙の閉塞を阻止する連結規制部とを、少なくとも、大小いずれかのキャップに設け、大キャップの外筒部内周壁に小キャップの外筒部外周壁が内接係合した状態で大小のキャップが相互に連結することを特徴とする塗布具用キャップ。
【請求項２】
前記小キャップの外筒部は、前記大キャップの内筒部外径よりも大きい内径を有し、且つ、前記大キャップの外筒部に内接係合可能であることを特徴とする請求項１に記載の塗布具用キャップ。
【請求項３】
前記小キャップの外筒部は、前記大キャップの内筒部に外接係合可能であり、且つ、前記大キャップの外筒部に内接係合可能であることを特徴とする請求項１に記載の塗布具用キャップ。
【請求項４】
前記小キャップの外筒部の外径寸法は、前記大キャップの外筒部の外径寸法の８０パーセント未満の値に形成されることを特徴とする請求項３に記載の塗布具用キャップ。
【請求項５】
前記連結規制部は、前記小キャップの外筒部開放端、または、大キャップの内筒部開放端の少なくともいずれかに、軸方向へ向けて設けた突出部または切欠部によって形成されることを特徴とする請求項１乃至４のいずれか１項に記載の塗布具用キャップ。
【請求項６】
前記連結規制部は、前記大キャップまたは小キャップの少なくともいずれかの支持部に、軸方向へ向けて設けた突出部または切欠部によって形成されることを特徴とする請求項１乃至４のいずれか１項に記載の塗布具用キャップ。
【請求項７】
前記連結規制部は、前記大キャップの外筒部内周壁または内筒部外周壁の少なくともいずれかに設けた係止部によって形成されることを特徴とする請求項１乃至４のいずれか１項に記載の塗布具用キャップ。
【発明の詳細な説明】
【０００１】
【発明の属する技術分野】
本発明は、ボールペン、サインペンあるいはマーカなどの種々の塗布具に装着される塗布具用キャップに係り、更に詳しくは、誤って飲み込んだ場合でも空気流路を確保して安全性を向上させたものに関する。
【０００２】
【従来の技術】
近時、本体軸の両端に形状の異なる塗布部を設けたサインペンやマーカなどの塗布具が普及している。このような塗布具では、通常、一方のキャップを取り外し、取り外したキャップを紛失しないように他方のキャップに被せて連結して使用するものが多い。
ところで、このような塗布具のキャップは形状が小さいため、幼児や子供が手にとって遊ぶことが多く、誤って飲み込んで窒息するような事故の要因になることがある。
【０００３】
そこで、キャップの形状に応じて所定の空気流量を確保するための連通孔を設けることが安全性規格で義務づけられている。キャップにこのような連通孔を設けることにより、誤って飲み込んだ場合でも、連通孔を通じて所定の空気流路を確保することができ、呼吸を維持させつつその間に必要な処置を行うことが可能である。このように、尊い命を守るべく安全性規格に準拠した塗布具が製品化されている。
このようなキャップは、塗布部の揮発を防ぐための内筒部と、当該内筒部を内包する外筒部とを有した二重構造のものが多く、一般に合成樹脂材を射出成形して一体化して形成される。
【０００４】
【発明が解決しようとする課題】
ところが、前記した連通孔の設けられたキャップは、単体のキャップについての安全性は確保されるものの、キャップ同士を連結させた状態における空気流路の確保が考慮されていないものや不充分なものが多かった。
則ち、前記したように、一方のキャップを他方のキャップに連結したまま誤って飲み込んでしまうと、呼吸を維持することができないものが多く、安全性の面から改善が望まれていた。
本発明は、従来のこのような点に鑑みて提案されるもので、キャップ同士を連結した場合でも安定して空気流路を確保できる簡単な構成の塗布具用キャップを提供することを目的としている。
【０００５】
【課題を解決するための手段】
前記目的を達成するために提案される請求項１に記載の本発明は、塗布具の両端に装着される大小一対の相互に連結可能な塗布具用キャップであって、大小各々のキャップは、円筒状の外筒部に、当該外筒部の内径よりも小さい外径を有し一端が閉塞された内筒部を支持部で支持して一体化して形成され、各々のキャップは外筒部と内筒部との間の間隙を介してキャップの内部空間と外部とが連通し、キャップ同士を連結すると、間隙を介して、キャップの内部空間同士または一方のキャップの内部空間と外部とが連通して空気流路が形成される構成とされており、大キャップに小キャップを被せて連結させた状態や、小キャップに大キャップを被せて連結させた状態で、キャップの外筒部端部または内筒部端部による前記間隙の閉塞を阻止する連結規制部を、少なくとも、大小いずれかのキャップに設けた構成とされている。
【０００６】
この構成によれば、大キャップおよび小キャップは、各々、外筒部内周壁と内筒部外周壁との間に間隙が形成され、この間隙を介してキャップの内部空間と外部とが連通して空気流路が形成される。従って、大キャップあるいは小キャップを単体で誤って飲み込んだ場合でも、空気流路が確保され、呼吸を維持させつつ必要な処置を行うことができる。
【０００７】
また、大キャップに小キャップを被せて連結したり、逆に、小キャップに大キャップを被せて連結することができる。この連結時には、連結状態に応じて異なる空気流路が形成される。
則ち、各々のキャップの間隙を介して内部空間同士が連通して空気流路が形成されたり、あるいは、一方のキャップの内部空間が間隙を介して外部（他方のキャップの外部周辺）と連通して空気流路が形成される。
このとき、連結状態によっては、小キャップの外筒部開放端が大キャップの間隙を閉塞したり、大キャップの内筒部開放端が小キャップの間隙を閉塞するような不具合が生じる。
しかし、本発明によれば、大キャップまたは小キャップの少なくともいずれかのキャップに連結規制部を設けているので、連結時における間隙の閉塞が回避される。これにより、大小一対のキャップ同士を連結した状態で誤って飲み込んだ場合でも、空気流路が確保される。
【０００８】
ここに、本発明で言う連結規制部とは、大キャップと小キャップとを連結したときに、一方のキャップで他方のキャップの間隙が閉塞されることを阻止するために、連結状態を規制するものである。
各々のキャップの外筒部と内筒部との間には間隙が形成され、連結時に一方のキャップの端部が他方のキャップの間隙に完全に当接して閉塞するような不具合を回避するために、連結規制部が設けられる。
則ち、連結規制部は、一方のキャップに他方のキャップを被せて連結する場合に、キャップの嵌入長さを規制したり、あるいは、間隙が閉塞されないように隙間を設ける働きを有するもので、種々の形態を採ることが可能である。
【０００９】
前記本発明において、小キャップの外筒部は、大キャップの内筒部外径よりも大きい内径を有し、且つ、大キャップの外筒部に内接係合可能である構成とすることができる。
この構成によれば、小キャップの外筒部を大キャップの内筒部に被せるようにして外筒部に内接係合させて連結できる。この連結状態では、小キャップの外筒部と大キャップの内筒部との間に隙間が生じ、生じた隙間が各々のキャップの間隙と連通して連結時における空気流路が形成される。
また、この構成によれば、大キャップの外筒部を小キャップの外筒部に被せて連結することもできる。この連結状態では、各々のキャップの間隙を介して連結時における空気流路が形成される。
【００１０】
前記本発明において、小キャップの外筒部は、大キャップの内筒部に外接係合可能であり、且つ、大キャップの外筒部に内接係合可能である構成とすることができる。
この構成によれば、小キャップの外筒部を大キャップの内筒部に被せて連結できる。この連結状態では、大キャップの内部空間が間隙を介して小キャップの外筒部周辺の外部空間と連通して空気流路が形成される。
また、この構成によれば、大キャップの外筒部を小キャップの外筒部に被せて連結可能である。この連結状態では、各々のキャップの間隙を介して連結時における空気流路が形成される。
【００１１】
前記請求項３に記載の本発明において、小キャップの外筒部の外径寸法は、大キャップの外筒部の外径寸法の８０パーセント未満の値に形成することができる。
請求項３に記載の構成、則ち、小キャップの外筒部は、大キャップの内筒部に外接係合可能で、且つ、大キャップの外筒部に内接係合可能な構成では、小キャップの外筒部を大キャップの内筒部に被せて連結できる。この連結状態では、大キャップの間隙を介して連結時における空気流路が形成され、小キャップの間隙および内部空間は空気流路に含まれない。
則ち、この連結状態で誤って飲み込んで喉や気管などにつかえても、小キャップの外筒部外周壁と喉壁などとの間に隙間が確保されれば、当該隙間と大キャップの内部空間とが連通して空気流路を形成することができる。
【００１２】
ところで、大小のキャップが連結された状態で誤って飲み込んで喉や気管につかえた場合に、形成される空気流路は、連結されたキャップ全体に弾性チューブなどを被せて等価的に評価することができる。
例えば、連結された大小のキャップ全体に、キャップの最大外径（大キャップの外筒部外径）の８０％〜８５％の内径を有する弾性チューブ（シリコンチューブなど）を被せ、この状態で所定の空気流量が得られる空気流路を確保することによって等価的に安全性を評価できる。
則ち、この例では、小キャップの外筒部外径寸法を大キャップの外筒部外形寸法の８０％よりも小さい値に設定することにより、連結されたキャップ全体に弾性チューブを被せても、小キャップの外筒部外周壁と弾性チューブ内周壁との間に隙間を生じさせて空気流路を形成することができる。
【００１３】
前記本発明において、連結規制部は、小キャップの外筒部開放端、または、大キャップの内筒部開放端の少なくともいずれかに、軸方向へ向けて設けた突出部または切欠部によって形成される構成とすることができる。
小キャップを大キャップに被せて連結すると、小キャップの外筒部端部が大キャップの間隙に達して間隙を閉塞する不具合が生じる。
しかし、本発明によれば、小キャップの外筒部開放端に連結規制部として突出部または切欠部を設けている。これにより、小キャップの外筒部端部が大キャップの間隙に達しても、突出部同士の間の隙間、または、切欠部が間隙と連通して空気流路が確保され、間隙が閉塞されることがない。
逆に、大キャップを小キャップに被せて連結すると、大キャップの内筒部開放端が小キャップの間隙に達して間隙を閉塞する不具合が生じる。
しかし、本発明によれば、大キャップの内筒部開放端に連結規制部として突出部または切欠部を設ける。これにより、大キャップの内筒部開放端が小キャップの間隙に達しても、突出部同士の間の隙間、または、切欠部が間隙と連通して空気流路が確保され、間隙が閉塞されることがなくなる。
大キャップあるいは小キャップに設ける連結規制部（突出部または切欠部）は、間隙を閉塞しないものであれば、形状および個数を適宜に設定することができる。例えば、開放端を凹形状や波形状に切り欠いた切欠部を設けたり、あるいは、凸形状の突出部（突起）を設けた構成とすることができる。
【００１４】
前記本発明において、連結規制部は、大キャップまたは小キャップの少なくともいずれかの支持部に、軸方向へ向けて設けた突出部または切欠部によって形成される構成とすることができる。
前記したように、小キャップを大キャップに被せて連結すると、小キャップの外筒部端部が大キャップの間隙に達して間隙を閉塞する不具合が生じる。ここで、支持部は、外筒部内周壁と内筒部外周壁とを繋ぐように設けられるので、支持部は間隙の一部に設けられている。
本発明によれば、大キャップの支持部に、連結規制部として突出部または切欠部を設けている。これにより、小キャップの外筒部開放端が大キャップの支持部に達しても、突出部同士の間の隙間、または、切欠部が間隙と連通して空気流路が確保され、間隙が閉塞されることがなくなる。
逆に、大キャップを小キャップに被せて連結すると、前記したように、大キャップの内筒部端部が小キャップの間隙に達して間隙を閉塞する不具合が生じる。
しかし、本発明によれば、小キャップの支持部に、連結規制部として突出部または切欠部を設けている。これにより、大キャップの内筒部開放端が小キャップの支持部に達しても、突出部同士の間の隙間、または、切欠部が間隙と連通して空気流路が確保され、間隙が閉塞されることがなくなる。
大キャップあるいは小キャップの支持部に設ける連結規制部（突出部または切欠部）は、間隙を閉塞しないものであれば、形状および個数を適宜に設定することができる。例えば、支持部に凸形状の突出部（突起）を設けたり、支持部に凹形状の切欠部を設けた構成とすることができる。
【００１５】
前記本発明において、連結規制部は、大キャップの外筒部内周壁または内筒部外周壁に設けた係止部によって形成される構成とすることができる。
前記したように、小キャップを大キャップに被せて連結すると、小キャップの外筒部端部が大キャップの間隙に達して間隙を閉塞する不具合が生じる。
本発明によれば、大キャップの外筒部内周壁または内筒部外周壁に、連結規制部として係止部を設ける。これにより、小キャップの外筒部開放端が係止部で規制されて大キャップの間隙に達することがなく、間隙が閉塞されることがない。
逆に、大キャップを小キャップに被せて連結すると、前記したように、大キャップの内筒部端部が小キャップの間隙に達して間隙を閉塞する不具合が生じる。
しかし、本発明によれば、大キャップの外筒部内周壁に、連結規制部として係止部を設ける。これにより、小キャップの端部が大キャップの係止部で規制されて、大キャップの内筒部開放端が小キャップの間隙に達することがなく、間隙が閉塞されることがない。
大キャップに設ける連結規制部（係止部）は、キャップの嵌入長さを規制するものであれば、適宜の形状および個数を設定することができる。
【００１６】
【発明の実施の形態】
以下に、図面を参照して本発明の実施形態を説明する。
（第１実施形態）
図１および図２は本発明の第１実施形態の塗布具用キャップを示している。図１（ａ）は大キャップ１と小キャップ２を示す斜視図、図１（ｂ）は図１（ａ）のＡ−Ａ矢視断面図、図２（ａ）は大キャップ１に小キャップ２を被せて連結させた状態を示す断面図、図２（ｂ）は小キャップ２に大キャップ１を被せて連結させた状態を示す断面図である。
【００１７】
図１（ａ），（ｂ）に示すように、大キャップ１は円筒状の外筒部１０の内部に、外筒部１０の内径よりも小さい外径を有し一端が閉塞された円筒状の内筒部１１を支持部１ａで支持して一体化して形成されている。一方、小キャップ２も円筒状の外筒部２０の内部に、外筒部２０の内径よりも小さい外径を有し一端が閉塞された中空円筒状の内筒部２１を支持部２ａで支持して一体化して形成されている。
【００１８】
詳細に説明すると、大キャップ１は、円筒形状の外筒部１０の内部に一端が閉塞された内筒部１１を、外筒部１０と内筒部１１の中心軸を揃えるようにして支持部１ａで支持している。内筒部１１の閉塞端１１ａは外筒部１０の端部１０ｃに一致するように支持部１ａで支持されている。支持部１ａは内筒部１１の長手方向の略中央部に位置し、内筒部外周壁１１ｂと外筒部内周壁１０ｂとを繋ぐように円周方向へ向けて設けられている。そして、支持部１ａには、軸方向へ向けて６個の連通孔１ｂが中心軸に対して放射状に開けられている。
また、内筒部１１は支持部１ａを境として異なった外径を有する。則ち、支持部１ａに対して、閉塞端１１ａ側の外径は、開放端１１ｄ側の外径に対して小さくされている。
また、内筒部１１の内部には、塗布具本体（不図示）に設けられた塗布部先端を挿入させて揮発を防ぐための中空円筒状の気密室１１ｃが設けられている。
この構成の大キャップ１は、外筒部内周壁１０ｂと内筒部外周壁１１ｂとの間に生じる間隙１ｃと連通孔１ｂとを介して、内部空間と外部とが連通して空気流路が形成され、キャップ単体の安全性を確保している。
【００１９】
一方、小キャップ２は、円筒状の外筒部２０の内部に一端が閉塞された内筒部２１を、外筒部２０と内筒部２１の中心軸を揃えるようにして支持部２ａで支持している。支持部２ａは、内筒部閉塞端２１ａの外周壁２１ｂと外筒部端部２０ｃの内周壁２０ｂとを繋ぐように円周方向へ向けて設けられ、これにより、内筒部２１の閉塞端２１ａを外筒部端部２０ｃと一致させている。
この支持部２ａには、軸方向へ向けて６個の連通孔２ｂが中心軸に対して放射状に設けられている。また、隣接する連通孔２ｂ同士の間の支持部２ａには、軸方向へ向けて短い突起（突出部）２ｄが６個設けられ、この突起２ｄによって連結規制部（２ｄ）を形成している。
また、外筒部２０の他方の端部２０ｄには、軸方向へ向けた凹状の切欠部２０ｅが外筒部周縁に沿って１０個設けられており、この切欠部２０ｅによって連結規制部（２０ｅ）を形成している。
【００２０】
また、内筒部２１の内部には、塗布具本体（不図示）に設けられた塗布部先端を挿入させて揮発を防ぐための中空円筒状の気密室２１ｃが設けられている。
則ち、本実施形態では、小キャップ２に連結規制部（突起）２ｄおよび連結規制部（切欠部）２０ｅを設けることによって、後述する連結時における間隙の閉塞を阻止するものである。
この構成の小キャップ２は、外筒部内周壁２０ｂと内筒部外周壁２１ｂとの間に生じる間隙２ｃと連通孔２ｂとを介して、内部空間と外部とが連通して空気流路が形成され、キャップ単体の安全性を確保している。
【００２１】
また、小キャップ２の外筒部外周壁２０ａは大キャップ１の外筒部内周壁１０ｂに内接係合可能で、小キャップ２の外筒部２０の内径は大キャップ１の内筒部１１の外径よりも大きくなるように、キャップ相互が形成されている。
則ち、小キャップ２の外筒部２０を大キャップ１の外筒部１０に内接係合させて連結したり、あるいは、大キャップ１の外筒部１０を小キャップ２の外筒部２０に外接係合させて連結することが可能である。
【００２２】
このような構成の大キャップ１に小キャップ２を被せて連結した場合に形成される空気流路について、図２（ａ）を参照して説明する。
大キャップ１の外筒部内周壁１０ｂに小キャップ２の外筒部外周壁２０ａを内接係合させて押圧挿入する。すると、小キャップ２の外筒部開放端２０ｄが大キャップ１の支持部１ａに当接して連結が完了する。
ここで、小キャップ２の外筒部開放端２０ｄには切欠部（連結規制部）２０ｅが設けられており、この切欠部（連結規制部）２０ｅによって隙間が形成され、この隙間を介して、大キャップ１の連通孔１ｂは小キャップ２の外筒部内周壁２０ｂと大キャップ１の内筒部外周壁１１ｂとの間に形成される隙間１ｄと相互に連通する。これにより、小キャップ２の外筒部開放端２０ｄによって大キャップ１の間隙１ｂが閉塞されることがなくなる。
則ち、大キャップ１に小キャップ２を被せて連結すると、大キャップ１の開放端１０ｄ、大キャップ１の内部空間、間隙１ｃ、連通孔１ｂ、切欠部（連結規制部）２０ｅ、隙間１ｄ、小キャップ２の内部空間、間隙２ｃおよび連通孔２ｂを介して一連の空気流路Ｌが形成される。
【００２３】
一方、同一構成の小キャップ２に大キャップ１を被せて連結した場合に形成される空気流路について、図２（ｂ）を参照して説明する。
小キャップ２の外筒部外周壁２０ａに大キャップ１の外筒部内周壁１０ｂを外接係合させて押圧挿入する。すると、大キャップ１の内筒部開放端１１ｄは小キャップ２の突起（連結規制部）２ｄに当接して連結が完了する。
この連結状態では、大キャップ１の内筒部開放端１１ｄと小キャップ２の支持部２ａとの間に突起２ｄを挟むようにして隙間が生じる。この隙間は、小キャップ２の連通孔２ｂおよび大キャップ１の内部空間と連通する。これにより、小キャップ２の連通孔２ｂが大キャップ１の内筒部開放端１１ｄで閉塞されることが回避される。
則ち、小キャップ２と大キャップ１とが連結されると、小キャップ２の外筒部開放端２０ｄ、小キャップ２の内部空間、間隙２ｃ、連通孔２ｂ、突起（連結規制部）２ｄの間の隙間、大キャップ１の内部空間、間隙１ｃ、および、連通孔１ｂを介して空気流路Ｌが形成される。
【００２４】
このように、大キャップ１に小キャップ２を被せて連結した場合、或いは逆に、小キャップ２に大キャップ１を被せて連結した場合のいずれの連結状態においても、間隙を介して空気流路Ｌが形成される。
これにより、キャップ１，２同士を連結した状態で誤って飲み込んだ場合でも、空気流路Ｌを介して呼吸を維持させつつ、必要な処置を行うことが可能となる。
【００２５】
尚、本実施形態では、小キャップ２の外筒部開放端２０ｄに複数の凹形状の切欠部（連結規制部）２０ｅを設ける構成としたが、凹形状に限らず、波形形状などの切欠部を設けることも可能である。また、切欠部２０ｅの代わりに、突出部（突起）を設けることもできる。
また、小キャップ２の突起（連結規制部）２ｄは、方形柱状形に限らず、半球形状や円筒形状などの突起とすることも可能である。
ところで、本実施形態のキャップ１，２では、切欠部（連結規制部）２０ｅの数と連通孔１ｂの数が同一の場合には、大キャップ１に小キャップ２を連結させたときに、切欠部２０ｅを除く外筒部開放端２０ｄが全ての連通孔１ｂと当接して閉塞される虞がある。このような不具合を避けるには、例えば、切欠部２０ｅの数と連通孔１ｂの数を異ならせるような構成として、大キャップ１にどのような向きで小キャップ２を連結させても、全ての連通孔１ｂが閉塞されない形状とすれば良い。
【００２６】
本実施形態の塗布具用キャップ１，２は、前記したように、小キャップ２に連結規制部（切欠部２０ｅおよび突起２ｄ）を設ける構成としたものであった。
しかし、連結規制部は、大キャップ１に設けることもできる。
以下に、大キャップ１に連結規制部を設けた構成の塗布具用キャップの実施形態を説明する。
【００２７】
（第２実施形態）
図３および図４は本発明の第２実施形態の塗布具用キャップを示している。図３（ａ）は大キャップ３と小キャップ４を示した斜視図、図３（ｂ）は図３（ａ）のＡ−Ａ矢視断面図、図４（ａ）は大キャップ３に小キャップ４を被せて連結させた状態を示す断面図、図４（ｂ）は小キャップ４に大キャップ３を被せて連結させた状態を示す断面図である。
本実施形態は、前記図１，２に示した大キャップ１および小キャップ２を変形した構成である。則ち、小キャップ４には連結規制部を設けず、大キャップ３の支持部１ａと外筒部内周壁１０ｂとに連結規制部を設けた構成である。従って、前記した大キャップ１および小キャップ２と同一構成部分には、同一の符号を付して重複した説明を省略する。
【００２８】
図３（ａ），（ｂ）に示すように、大キャップ３は、前記図１に示した大キャップ１において、支持部１ａに設けられた６個の連通孔１ｂ同士の間に、６個の突起１ｅを外筒部端部１０ｃ側へ向けて短く突出させて設けている。そして、この突起１ｅによって連結規制部（１ｅ）を形成している。
また、支持部１ａに対して連結規制部１ｅが設けられた側と反対側の間隙１ｃには、リブ状の係止部１ｇが設けられている。この係止部１ｇは、支持部１ａから外筒部開放端１０ｄへ向けて内筒部開放端１１ｄを僅かに超える位置まで延びるリブで形成され、外筒部内周壁１０ｂに一体化して形成されている。係止部１ｇは１つだけ配したり、中心軸に対して放射状に複数配することができ、本実施形態の大キャップ３では、中心軸に対して対向する２カ所に設けている。そして、この係止部１ｇによって連結規制部（１ｇ）を形成している。
則ち、本実施形態の大キャップ３は、連結規制部（突起）１ｅおよび連結規制部（係止部）１ｇを備えている。
【００２９】
一方、小キャップ４は、図３（ａ），（ｂ）に示すように、前記図１に示した小キャップ２において、連結規制部２０ｅおよび連結規制部２ｄを取り除いた構成、則ち、外筒部開放端２０ｄに設けた切欠部２０ｅと、支持部に設けた突起２ｄとを取り除いた構成とされている。
本実施形態の大キャップ３および小キャップ４は、このような構成であるので、間隙１ｃ，２ｃを介してキャップ単独で内部空間と外部とが連通して空気流路を形成することができる。
【００３０】
この構成の大キャップ３に小キャップ４を被せて連結した場合に形成される空気流路について、図４（ａ）を参照して説明する。
大キャップ３の外筒部内周壁１０ｂに小キャップ４の外筒部外周壁２０ａを内接係合させて押圧挿入する。すると、小キャップの外筒部開放端２０ｄは大キャップ３の支持部１ａに設けられた突起（連結規制部）１ｅに当接して連結が完了する。
この連結状態では、大キャップ３の突起（連結規制部）１ｅ同士の間に隙間１ｆが生じる。この隙間１ｆは、大キャップ３の連通孔１ｂ、および、小キャップ４の外筒部内周壁２０ｂと大キャップ３の内筒部外周壁１１ｂとの間に形成される隙間１ｄの双方に連通する。これにより、小キャップ４の外筒部開放端２０ｄによる大キャップ３の間隙１ｂの閉塞が回避される。
則ち、大キャップ３に小キャップ４を被せて連結すると、大キャップ３の外筒部開放端１０ｄ、大キャップ３の内部空間、間隙１ｃ、連通孔１ｂ、突起（連結規制部）１ｅによる隙間１ｆ、隙間１ｄ、小キャップ２の内部空間、間隙２ｃおよび連通孔２ｂを介して空気流路Ｌが形成される。
【００３１】
一方、同一構成の小キャップ４に大キャップ３を被せて連結した場合に形成される空気流路について、図４（ｂ）を参照して説明する。
小キャップ４の外筒部外周壁２０ａに大キャップ３の外筒部内周壁１０ｂを外接係合させて押圧挿入する。すると、大キャップ３の係止部（連結規制部）１ｇは外筒部端部２０ｃに当接して連結が完了する。
ここで、前記したように、大キャップ３の係止部１ｇは内筒部開放端１１ｄよりも外筒部開放端１０ｄへ向けて僅かに突出している。これにより、連結状態では、大キャップ３の内筒部開放端１１ｄと小キャップ４の支持部２ａとの間に隙間が生じる。
これにより、小キャップ４の間隙２ｃが大キャップ３の内筒部開放端１１ｄで閉塞されることが回避され、小キャップ４の連通孔２ｂは大キャップ３の内部空間と連通する。
則ち、小キャップ４に大キャップ３を被せて連結すると、小キャップ４の外筒部開放端２０ｄ、小キャップ４の内部空間、間隙２ｃ、連通孔２ｂ、突起（連結規制部）１ｇによる隙間、大キャップ３の内部空間、間隙１ｃ、および、連通孔１ｂを介して空気流路Ｌが形成される。
【００３２】
このように、本実施形態においても、大キャップ３に小キャップ４を被せて連結した場合、或いは逆に、小キャップ４に大キャップ３を被せて連結した場合のいずれの連結状態においても、キャップ相互の内部空間と外部とを連通する空気流路Ｌを確保することができる。
【００３３】
尚、本実施形態では、大キャップ３の連結規制部（突起）１ｅを方形柱状形としたが、半球形状や円筒形状とすることも可能である。
また、大キャップ３の連結規制部（係止部）１ｇをリブ形状としたが、例えば、大キャップ３の外筒部内周壁１０ｂにおける係止部１ｇの端部の位置に、小キャップ４の外筒部端部２０ｃに当接させて嵌入長さを規制する突起などを設けることも可能である。
【００３４】
（第３実施形態）
図５は本発明の第３実施形態の塗布具用キャップを示している。図５（ａ）は大キャップ３'および小キャップ４を示す断面図、図５（ｂ）は大キャップ３'に小キャップ４を被せて連結させた状態を示す断面図、図５（ｃ）は小キャップ４に大キャップ３'を被せて連結させた状態を示す断面図である。
本実施形態に用いる大キャップ３'は、前記図３に示した大キャップ３の構成の一部を変形したものであり、小キャップ４は、前記図３に示したものと同一である。
従って、同一部分には同一の符号を付して重複した説明を省略する。
【００３５】
前記図３に示した大キャップ３は、連結規制部（突起）１ｅと連結規制部（係止部）１ｇとを設けた構成であった。
一方、本実施形態の大キャップ３'は、これらの連結規制部１ｅ，１ｇに代えて、連結規制部（係止部）１０ｅおよび連結規制部（切欠部）１１ｅを設けた構成である。
係止部１０ｅは、大キャップ３'の支持部１０ａの近傍であって、内筒部閉塞端１１ａ側の外筒部内周壁１０ｂに設けた４つの突起で形成され、この突起１０ｅによって連結規制部１０ｅを形成している。
また、切欠部１１ｅは、大キャップ３'の内筒部開放端１１ｄに設けた８個の切欠部で形成され、この切欠部１１ｅによって連結規制部１１ｅを形成している。
則ち、大キャップ３'は連結規制部（係止部）１０ｅおよび連結規制部（切欠部）１１ｅを備えている。
【００３６】
この構成の大キャップ３'に小キャップ４を被せて連結した場合に形成される空気流路について、図５（ｂ）を参照して説明する。
大キャップ３'の外筒部内周壁１０ｂに小キャップ４の外筒部外周壁２０ａを内接係合させて押圧挿入する。すると、小キャップの外筒部開放端２０ｄは大キャップ３'の外筒部内周壁１０ｂに設けられた突起（連結規制部）１０ｅに当接して連結が完了する。
この連結状態では、大キャップ３の突起（連結規制部）１０ｅにより、小キャップ４の外筒部開放端２０ｄは大キャップ３の間隙１ｂに達することが規制され、間隙１ｃの閉塞が回避される。
則ち、大キャップ３'に小キャップ４を被せて連結すると、大キャップ１の外筒部開放端１０ｄ、大キャップ３'の内部空間、間隙１ｃ、連通孔１ｂ、隙間１ｄ、小キャップ４の内部空間、間隙２ｃおよび連通孔２ｂを介して空気流路Ｌが形成される。
【００３７】
一方、同一構成の小キャップ４に大キャップ３'を被せて連結した場合に形成される空気流路について、図５（ｃ）を参照して説明する。
小キャップ２の外筒部外周壁２０ａに大キャップ３'の外筒部内周壁１０ｂを外接係合させて押圧挿入する。すると、大キャップ３'の内筒部開放端１１ｄは小キャップ４の支持部２ａに当接して連結が完了する。
ここで、大キャップ３'の内筒部開放端１１ｄには連結規制部（切欠部）１１ｅが設けられており、この切欠部１１ｅを介して小キャップ４の連通孔２ｂと大キャップ３'の内部空間とが連通する。これにより、大キャップ３の内筒部開放端１１ｄによる小キャップ４の間隙２ｃの閉塞が回避される。
則ち、小キャップ４に大キャップ３'を被せて連結すると、小キャップ４の外筒部開放端２０ｄ、小キャップ２の内部空間、間隙２ｃ、連通孔２ｂ、切欠部（連結規制部）１１ｅによる隙間、大キャップ１の内部空間、間隙１ｃ、および、連通孔１ｂを介して空気流路Ｌが形成される。
【００３８】
このように、本実施形態においても、大キャップ３'に小キャップ４を被せて連結した場合、或いは逆に、小キャップ４に大キャップ３'を被せて連結した場合のいずれの連結状態においても、キャップ相互の内部空間と外部とを連通する空気流路Ｌを確保することができる。
【００３９】
尚、本発明は、前記第１〜第３実施形態の構成に限られるものではない。
例えば、大キャップ側の間隙の閉塞を回避するための連結規制部、則ち、小キャップ側に設ける連結規制部（切欠部）２０ｅや、大キャップ側に設ける連結規制部（突起）１ｅあるいは連結規制部（係止部）１０ｅと、小キャップ側の間隙の閉塞を回避するための連結規制部、則ち、小キャップ側に設ける連結規制部（突起）２ｄや、大キャップ側に設ける連結規制部（係止部）１ｇあるいは連結規制部（切欠部）１１ｅとを適宜に組み合わせて、種々の構成の大小キャップとすることが可能である。
【００４０】
（第４実施形態）
図６および図７は本発明の参考例である第４実施形態の塗布具用キャップを示している。図６（ａ）は大キャップ５と小キャップ６を示す斜視図、図６（ｂ）は図６（ａ）のＡ−Ａ矢視断面図、図７（ａ）は大キャップ５に小キャップ６を被せて連結させた状態を示す断面図、図７（ｂ）は小キャップ６に大キャップ５を被せて連結させた状態を示す断面図である。
【００４１】
図６（ａ），（ｂ）に示すように、大キャップ５は円筒状の外筒部５０の内部に、外筒部５０の内径よりも小さい外径を有し一端が閉塞された円筒状の内筒部５１を閉塞端５１ａ側の一部を突出するようにして支持部５ａで支持して一体化して形成されている。一方、小キャップ６は円筒状の外筒部６０の内部に、外筒部６０の内径よりも小さい外径を有し一端が閉塞された円筒状の内筒部６１を支持部６ａで支持して一体化して形成されている。
【００４２】
詳細に説明すると、大キャップ５は、円筒状の外筒部５０の内部に一端が閉塞された内筒部５１を、外筒部５０と内筒部５１の中心軸を揃えるようにして、内筒部５１の閉塞端５１ａ側の一部（本実施形態では内筒部５１の長さの略半分の長さ）を外筒部５０から突出するようにして支持部５ａで支持している。支持部５ａは外筒部端部５０ｃに設けられており、外筒部端部５０ｃにおける外筒部内周壁５０ｂと内筒部外周壁５１ｂとを繋ぐように円周方向へ向けて設けられている。
この支持部５ａには、軸方向へ向けて６個の連通孔５ｂが中心軸に対して放射状に設けられている。
また、支持部５ａに対して外筒部開放端５０ｄ側の間隙５ｃには、リブ形状の係止部５ｄが設けられている。係止部５ｄは、支持部５ａから外筒部開放端５０ｄ側へ向けて内筒部開放端５１ｄを僅かに超える位置まで延びるリブで形成され、外筒部内周壁５０ｂと内筒部外周壁５１ｂに一体化して形成されている。係止部５ｄは１つまたは中心軸に対して放射状に複数配することができ、本実施形態の大キャップ５では、中心軸に対して対向する２カ所に設けている。そして、この係止部５ｄによって連結規制部（５ｄ）を形成している。
尚、前記図３に示した大キャップ３では、連結規制部（リブ）１ｇを外筒部内周壁１０ｂに一体化して形成した。しかし、本実施形態の大キャップ５では、前記したように、連結規制部（５ｄ）を外筒部内周壁５０ｂと内筒部外周壁５１ｂに一体化させた構成としている。
【００４３】
また、内筒部５１の内部には、塗布具本体（不図示）に設けられた塗布部先端を挿入させて揮発を防ぐための中空円筒状の気密室５１ｃが設けられている。
則ち、本実施形態の大キャップ５は連結規制部（係止部）５ｄを備えている。
この構成の大キャップ５は、外筒部内周壁５０ｂと内筒部外周壁５１ｂとの間に生じる間隙５ｃと連通孔５ｂとを介して、内部空間と外部とが連通して空気流路が形成され、キャップ単体としての安全性を確保している。
【００４４】
一方、小キャップ６は、円筒状の外筒部６０の内部に一端が閉塞された内筒部６１を、外筒部６０と内筒部６１の中心軸を揃えるようにして支持部６ａで支持して一体化して形成されている。支持部６ａは、内筒部閉塞端６１ａにおける外周壁６１ｂと外筒部端部６０ｃの内周壁６０ｂとを繋ぐように円周方向へ向けて設けられ、これにより、内筒部６１の閉塞端６１ａを外筒部端部６０ｃに一致させている。
【００４５】
この支持部６ａには、軸方向へ向けて６個の連通孔６ｂが中心軸に対して放射状に設けられている。また、外筒部開放端６０ｄには、軸方向へ向けた凹状の切欠部６０ｅが外筒部周縁に沿って１０個設けられており、この切欠部６０ｅによって連結規制部（６０ｅ）を形成している。
また、内筒部６１の内部には、塗布具本体（不図示）に設けられた塗布部先端を挿入させて揮発を防ぐための中空円筒状の気密室６１ｃが設けられている。
この構成の小キャップ６は、外筒部内周壁６０ｂと内筒部外周壁６１ｂとの間に生じる間隙６ｃと連通孔６ｂとを介して、内部空間と外部とが連通して空気流路が形成され、キャップ単体の安全性を確保している。
【００４６】
前記した小キャップ６の外筒部内周壁６０ｂは、大キャップ５の内筒部外周壁５１ｂに外接係合可能であり、大キャップ５の外筒部内周壁５０ｂは、小キャップ６の外筒部外周壁６０ａに外接係合可能であるように、相互の形状が調整されている。
これにより、小キャップ６の外筒部６０を大キャップ５の内筒部５１へ外接係合させて連結したり、大キャップ５の外筒部５０を小キャップ６の外筒部６０へ外接係合させて連結することができる。
また、小キャップ６の外筒部６０の外径寸法は、大キャップ５の外筒部５０の外径寸法の７０％となるように形成されている。
また、前記したように、本実施形態の大キャップ５には連結規制部（係止部）５ｄが設けられ、小キャップ６には連結規制部（切欠部）６０ｅ を設けた構成とされている。
【００４７】
このような構成の大キャップ５に小キャップ６を被せて連結した場合に形成される空気流路について、図７（ａ）を参照して説明する。尚、図７（ａ）はキャップの安全性を評価するために、連結されたキャップ全体に弾性チューブ（シリコンチューブ）Ｔを被せた状態で示している。
則ち、本実施形態のキャップ同士の連結状態における安全性を評価するために、キャップの最大径（大キャップ５の外筒部５０の外径）の８０％の内径を有する弾性チューブ（シリコンチューブ）Ｔを、連結されたキャップ５，６に被せる。そして、シリコンチューブＴの上流側と下流側との間に所定圧力差の空気圧を印加し、チューブＴ内を単位時間に移動する空気流量を求めて安全性の評価を行うようにしている。
【００４８】
図７（ａ）に示すように、大キャップ５の内筒部外周壁５１ｂに小キャップ６の外筒部内周壁６０ｂを外接係合させて押圧挿入する。すると、小キャップ６の外筒部開放端６０ｄが大キャップ５の支持部５ａに当接して連結が完了する。
ここで、小キャップ６の外筒部開放端６０ｄには切欠部（連結規制部）６０ｅが設けられており、この切欠部（連結規制部）２０ｅを介して、大キャップ５の連通孔５ｂは小キャップ６の外筒部外周壁６０ａとチューブＴとの間に形成される隙間６ｄと相互に連通する。従って、小キャップ６の外筒部開放端６０ｄによって大キャップ５の間隙５ｃが閉塞されることがない。
則ち、大キャップ５に小キャップ６を被せて連結すると、大キャップ５の外筒部開放端５０ｄ、大キャップ５の内部空間、間隙５ｃ、連通孔５ｂ、切欠部（連結規制部）６０ｅ、隙間６ｄを介して一連の空気流路Ｌが形成される。
【００４９】
ここで、本実施形態では、小キャップ６の外筒部６０の外径寸法を大キャップ５の外筒部５０の外径寸法の７０％に形成している。これにより、大キャップ５の外筒部５０の外径寸法の８０％の内径寸法を有するシリコンチューブＴを、連結したキャップ５，６に被せると、小キャップ６の外筒部外周壁６０ａとシリコンチューブＴの内壁との間に隙間６ｄを形成させることが可能である。
これにより、連結されたキャップ５，６を誤って飲み込んで喉や気管などにつかえた場合でも、安定して空気流路を確保することが可能となる。
【００５０】
一方、同一構成の小キャップ６に大キャップ５を被せて連結した場合に形成される空気流路について、図７（ｂ）を参照して説明する。
小キャップ６の外筒部外周壁６０ａに大キャップ５の外筒部内周壁５０ｂを外接係合させて押圧挿入する。すると、大キャップ１の係止部（連結規制部）５ｄは小キャップ６の外筒部端部６０ｃに当接して連結が完了する。
ここで、前記したように、大キャップ５の係止部５ｄは内筒部開放端５１ｄよりも外筒部開放端５０ｄへ向けて僅かに突出している。
これにより、連結状態では、大キャップ５の内筒部開放端５１ｄと小キャップ６の支持部６ａとの間に隙間が生じ、小キャップ６の間隙６ｃが大キャップ５の内筒部開放端５１ｄで閉塞されることが回避される。
【００５１】
則ち、小キャップ６に大キャップ５を被せて連結すると、小キャップ６の外筒部開放端６０ｄ、小キャップ６の内部空間、間隙６ｃ、連通孔６ｂ、大キャップ５の内部空間、間隙５ｃ、および、連通孔５ｂを介して空気流路Ｌが形成される。
尚、図７（ｂ）に示した連結状態では、シリコンチューブＴを被せた場合でも空気流路が閉塞される虞はない。
【００５２】
このように、大キャップ５に小キャップ６を被せて連結した場合、或いは逆に、小キャップ６に大キャップ５を被せて連結した場合のいずれの連結状態においても、キャップ相互の内部空間と外部とを連通するように空気流路Ｌが形成される。
これにより、キャップ同士を連結した状態で誤って飲み込んだ場合でも、空気流路Ｌを介して呼吸を維持させつつ、必要な処置を行うことが可能となる。
ここで、本実施形態においても、切欠部６０ｅの数と連通孔５ｂの数が同一の場合には、大キャップ５に小キャップ６を連結させたときに切欠部６０ｅを除く外筒部開放端６０ｄが全ての連通孔５ｂと当接して閉塞される虞がある。このような不具合を避けるには、例えば、切欠部６０ｅの数と連通孔５ｂの数を異ならせるようにし、大キャップ５にどのような向きで小キャップ６を連結させても、全ての連通孔５ｂが閉塞されない形状とすれば良い。
【００５３】
ところで、本実施形態では、大キャップ５に連結規制部（係止部）５ｄを設け、小キャップ６に連結規制部（切欠部）６０ｅ を設けた構成であった。
しかし、大キャップおよび小キャップに別の連結規制部を設けた構成とすることもできる。
以下に、本発明の別の実施形態の塗布具用キャップを説明する。
【００５４】
（第５実施形態）
図８および図９は、本発明の参考例である第５実施形態の塗布具用キャップを示している。図８（ａ）は大キャップ７と小キャップ８を示した斜視図、図８（ｂ）は図８（ａ）のＡ−Ａ矢視断面図、図９（ａ）は大キャップ７に小キャップ８を被せて連結させた状態を示す断面図、図９（ｂ）は小キャップ８に大キャップ７を被せて連結させた状態を示す断面図である。
本実施形態では、大キャップ７に連結規制部（突起）５ｅを設け、小キャップ８に連結規制部（突起）６ｅを設けた構成とされており、前記図６，７に示した大キャップ５および小キャップ６と同一部分には同一の符号を付して重複した説明を省略する。
【００５５】
図８（ａ），（ｂ）に示すように、大キャップ７は、前記図６に示した大キャップ５において、連結規制部（係止部）５ｄを取り除き、代わりに、支持部５ａに設けられた６個の連通孔５ｂ同士の間に６個の突起５ｅを設けた構成とされている。突起５ｅは内筒部外周壁５１ｂに沿って内筒部閉塞端５１ａへ向けて短く突出している。そして、この突起５ｅによって連結規制部（５ｅ）を形成している。
一方、小キャップ８は図８（ａ），（ｂ）に示すように、前記図６に示した小キャップ６において、連結規制部（突起）６０ｅを取り除き、代わりに、連通孔２ｂ同士の間の支持部２ａに、軸方向へ向けて短い突起６ｅを６個設けた構成とされている。そして、この突起６ｅによって連結規制部（６ｅ）を形成している。
本実施形態の大キャップ７および小キャップ８は、このような構成であるので、前記した大キャップ５および小キャップ６と同様に、キャップ単独で内部空間と外部とが連通して空気流路が形成される。
【００５６】
この構成の大キャップ７に小キャップ８を被せて連結した場合に形成される空気流路について、図９（ａ）を参照して説明する。
大キャップ７の内筒部外周壁５１ｂに小キャップ８の外筒部内周壁６０ｂを外接係合させて押圧挿入する。すると、小キャップ８の外筒部開放端６０ｄが大キャップ７の連結規制部（突起）５ｅに当接して連結が完了する。
この連結状態では、小キャップ８の外筒部開放端６０ｄと大キャップ７の支持部５ａとの間における突起５ｅ同士の間に隙間５ｆが生じる。この隙間５ｆは、大キャップ３の連通孔５ｂ、および、小キャップ８の外筒部外周壁６０ａとチューブＴとの間に形成される隙間６ｄの双方に連通する。これにより、小キャップ８の外筒部開放端６０ｄによって大キャップ７の間隙５ｃが閉塞されることが回避される。
則ち、大キャップ７に小キャップ８を被せて連結すると、大キャップ７の外筒部開放端５０ｄ、大キャップ１の内部空間、間隙５ｃ、連通孔５ｂ、突起（連結規制部）５ｅで生じる隙間５ｆおよび隙間６ｄを介して空気流路Ｌが形成される。
【００５７】
ここで、本実施形態においても、小キャップ８の外筒部６０の外径寸法を大キャップ７の外筒部５０の外径寸法の７０％に形成している。これにより、大キャップ７の外筒部５０の外径寸法の８０％の内径寸法を有するシリコンチューブＴを、連結したキャップ７，８に被せると、小キャップ８の外筒部外周壁６０ａとシリコンチューブＴの内壁との間に隙間６ｄを形成することが可能である。
これにより、連結されたキャップ５，６を誤って飲み込んで喉や気管などにつかえた場合でも、安定して空気流路を確保することが可能となる。
【００５８】
一方、同一構成の小キャップ８に大キャップ７を被せて連結した場合に形成される空気流路について、図９（ｂ）を参照して説明する。
小キャップ８の外筒部外周壁６０ａに大キャップ７の外筒部内周壁５０ｂを外接係合させて押圧挿入する。すると、大キャップ７の内筒部開放端５１ｄは小キャップ８の突起（連結規制部）６ｅに当接して連結が完了する。
この連結状態では、大キャップ７の内筒部開放端５１ｄと小キャップ８の支持部６ａとの間に突起６ｅを挟むようにして隙間が生じ、小キャップ８の連通孔６ｂが大キャップ７の内筒部開放端５１ｄで閉塞されることが回避される。
則ち、小キャップ８に大キャップ７を被せて連結すると、小キャップ８の外筒部開放端６０ｄ、小キャップ８の内部空間、間隙６ｃ、連通孔６ｂ、突起（連結規制部）６ｅによる隙間、大キャップ７の内部空間、間隙５ｃ、および、連通孔５ｂを介して空気流路Ｌが形成される。
【００５９】
このように、大キャップ７に小キャップ８を被せて連結した場合、或いは逆に、小キャップ８に大キャップ７を被せて連結した場合のいずれの連結状態においても、キャップ相互の内部空間と外部とを連通するように空気流路Ｌが形成される。これにより、キャップ７，８同士を連結した状態で誤って飲み込んだ場合でも、空気流路Ｌを介して呼吸を維持させつつ、必要な処置を行うことが可能となる。
【００６０】
（第６実施形態）
次に、図１０は本発明の参考例である第６実施形態の塗布具用キャップを示している。図１０（ａ）は大キャップ７'および小キャップ８'を示す断面図、図１０（ｂ）は大キャップ７'に小キャップ８'を被せて連結させた状態を示す断面図、図１０（ｃ）は小キャップ８'に大キャップ７'を被せて連結させた状態を示す断面図である。
本実施形態に用いる大キャップ７'は、前記図８に示した大キャップ７の一部を変形したものであり、また、小キャップ４は、前記図８に示した小キャップ８の一部を変形したものである。
従って、同一構成部分には同一の符号を付して重複した説明を省略する。
【００６１】
前記図８に示した大キャップ７は、連結規制部（突起）５ｅを設けた構成であった。
一方、本実施形態の大キャップ７'は、この連結規制部５ｅに代えて、連結規制部（係止部）５１ｅおよび連結規制部（切欠部）５１ｆを設けた構成である。
係止部５１ｅは、大キャップ７'の支持部５ａの近傍であって、内筒部閉塞端５１ａ側の内筒部外周壁５１ｂに設けた４つの突起（突出部）で形成され、これらの突起５１ｅによって連結規制部５１ｅを形成している。
また、切欠部５１ｆは、大キャップ７'の内筒部開放端５１ｄに設けた８個の切欠部で形成され、これらの切欠部５１ｆによって連結規制部５１ｆを形成している。
【００６２】
一方、小キャップ８'は、前記図８に示した小キャップ８において、連結規制部（突起）６ｅを取り除いた構成とされている。
則ち、本実施形態では、大キャップ７'は連結規制部（係止部）５１ｅおよび連結規制部（切欠部）５１ｆを備えている。
【００６３】
この構成の大キャップ７'に小キャップ８'を被せて連結した場合に形成される空気流路について、図１０（ｂ）を参照して説明する。
大キャップ７'の内筒部外周壁５１ｂに小キャップ８'の外筒部内周壁６０ｂを外接係合させて押圧挿入する。すると、小キャップの外筒部開放端６０ｄは大キャップ３'の内筒部外周壁５１ｂに設けられた突起（連結規制部）５１ｅに当接して連結が完了する。
この連結状態では、大キャップ７'の突起（連結規制部）５１ｅにより、小キャップ８'の外筒部開放端６０ｄが大キャップ７'の支持部５ａに当接することが規制され、これによって間隙５ｃの閉塞が回避される。
則ち、大キャップ７'に小キャップ８'を被せて連結すると、大キャップ７'の外筒部開放端５０ｄ、大キャップ７'の内部空間、間隙５ｃ、連通孔５ｂ、および、小キャップ２の外筒部外周壁６０ａとチューブＴとの間に形成される隙間６ｄを介して空気流路Ｌが形成される。
【００６４】
一方、同一構成の小キャップ８'に大キャップ７'を被せて連結した場合に形成される空気流路について、図１０（ｃ）を参照して説明する。
小キャップ８'の外筒部外周壁６０ａに大キャップ７'の外筒部内周壁５０ｂを外接係合させて押圧挿入する。すると、大キャップ７'の内筒部開放端５１ｄは小キャップ８'の支持部６ａに当接して連結が完了する。
ここで、大キャップ７'の内筒部開放端５１ｄには連結規制部（切欠部）５１ｆが設けられており、この切欠部５１ｆを介して小キャップ８'の連通孔６ｂと大キャップ７'の内部空間とが連通する。これにより、大キャップ７'の内筒部開放端５１ｄによる小キャップ８'の間隙６ｃの閉塞が回避される。
則ち、小キャップ８'に大キャップ７'を被せて連結すると、小キャップ８'の外筒部開放端６０ｄ、小キャップ８'の内部空間、間隙６ｃ、連通孔６ｂ、切欠部（連結規制部）５１ｆ、大キャップ７'の内部空間、間隙５ｃ、および、連通孔５ｂを介して空気流路Ｌが形成される。
【００６５】
このように、本実施形態においても、大キャップ７'に小キャップ８'を被せて連結した場合、或いは逆に、小キャップ８'に大キャップ７'を被せて連結した場合のいずれの連結状態においても、キャップ相互の内部空間と外部とを連通する空気流路Ｌを確保することができる。
【００６６】
尚、本発明の参考例である第４〜第６実施形態の構成は前記したものに限られるものではない。
例えば、大キャップ側の間隙の閉塞を回避するための連結規制部、則ち、小キャップ側に設ける連結規制部（切欠部）６０ｅや、大キャップ側に設ける連結規制部（突起）５ｅあるいは連結規制部５１ｅと、小キャップ側の間隙の閉塞を回避するための連結規制部、則ち、大キャップ側に設ける連結規制部（係止部）５ｄあるいは連結規制部（切欠部）５１ｆや、小キャップ側に設ける連結規制部（突起）６ｅとを適宜に組み合わせて、種々の構成の大小キャップとすることが可能である。
【００６７】
尚、前記した実施形態１〜６については、キャップの製造方法について特に触れていないが、いずれのキャップについても合成樹脂材を成形金型を用いて射出成形して一体化して成したものを用いている。
【００６８】
【発明の効果】
本発明の塗布具用キャップによれば、簡単な構成によって、大きさの異なるキャップ同士を相互に連結できると共に、キャップ単独では勿論のこと、連結状態においても安定した空気流路を確保することができ、誤って飲み込んだ場合の安全性を向上させることができる。
【図面の簡単な説明】
【図１】  （ａ）は本発明の実施形態に係る塗布具用キャップの斜視図、（ｂ）は（ａ）のＡ−Ａ矢視断面図である。
【図２】  （ａ）は図１に示す大キャップに小キャップを被せて連結させた状態を示す断面図、（ｂ）は図１に示す小キャップに大キャップを被せて連結させた状態を示す断面図である。
【図３】  （ａ）は本発明の別の実施形態に係る塗布具用キャップの斜視図、（ｂ）は（ａ）のＡ−Ａ矢視断面図である。
【図４】  （ａ）は図３に示す大キャップに小キャップを被せて連結させた状態を示す断面図、（ｂ）は図３に示す小キャップに大キャップを被せて連結させた状態を示す断面図である。
【図５】  （ａ）は本発明の別の実施形態に係る塗布具用キャップの断面図、（ｂ）は（ａ）に示す大キャップに小キャップを被せて連結させた状態を示す断面図、（ｃ）は（ａ）に示す小キャップに大キャップを被せて連結させた状態を示す断面図である。
【図６】  （ａ）は本発明の参考例の実施形態に係る塗布具用キャップの斜視図、（ｂ）は（ａ）のＡ−Ａ矢視断面図である。
【図７】  （ａ）は図６に示す大キャップに小キャップを被せて連結させた状態を示す断面図、（ｂ）は図６に示す小キャップに大キャップを被せて連結させた状態を示す断面図である。
【図８】  （ａ）は本発明の参考例の実施形態に係る塗布具用キャップの斜視図、（ｂ）は（ａ）のＡ−Ａ矢視断面図である。
【図９】  （ａ）は図８に示す大キャップに小キャップを被せて連結させた状態を示す断面図、（ｂ）は図８に示す小キャップに大キャップを被せて連結させた状態を示す断面図である。
【図１０】  （ａ）は本発明の参考例の実施形態に係る塗布具用キャップの断面図、（ｂ）は（ａ）に示す大キャップに小キャップを被せて連結させた状態を示す断面図、（ｃ）は（ａ）に示す小キャップに大キャップを被せて連結させた状態を示す断面図である。
【符号の説明】
１，３，３'，５，７，７'    大キャップ
１０，５０        外筒部（大キャップ）
１１，５１        内筒部（大キャップ）
１ａ，５ａ        支持部（大キャップ）
１０ｃ，５０ｃ    外筒部の端部
１ｂ，５ｂ        連通孔（大キャップ）
１ｅ，１ｇ，５ｄ，１０ｅ，１１ｅ，５１ｅ，５１ｆ  連結規制部
２，４，６，８，８'    小キャップ
２０，６０        外筒部（小キャップ）
２１，６１        内筒部（小キャップ）
２ａ，６ａ        支持部（小キャップ）
２ｂ，６ｂ        連通孔（小キャップ）
２０ｅ，６０ｅ    連通部（切欠部）
２ｄ，６ｅ，２０ｅ，６０ｅ  連結規制部
【図１】
0004659990.tif 000002
【図２】
0004659990.tif 000003
【図３】
0004659990.tif 000004
【図４】
0004659990.tif 000005
【図５】
0004659990.tif 000006
【図６】
0004659990.tif 000007
【図７】
0004659990.tif 000008
【図８】
0004659990.tif 000009
【図９】
0004659990.tif 000010
【図１０】
0004659990.tif 000011